(57)【要約】【課題】狭小地においても施工することが可能な雨水貯留浸透システムを提供する。【解決手段】雨水貯留浸透機能を有する雨水貯留浸透施設４を構成する雨水貯留浸透体８を建物２の基礎２０に沿って複数連設し、建物２における雨樋２ａと雨水貯留浸透体８とを連通することで狭小地においても雨水貯留浸透システム１Ａを構築することができる。前記雨樋２ａと前記雨水貯留浸透施設４とを繋ぐ雨水経路Ｘには、雨水ます６が配設されることが望ましく、該雨水ます６には、雨水に含まれる夾雑物が雨水貯留浸透施設４に流入することを防止するフィルタ７が取り付けられることが望ましい。【選択図】図１
2014214519.tif 000002
【特許請求の範囲】
【請求項１】
地中に埋設された雨水貯留浸透施設を備え、建物に配設された雨樋から流出する雨水が該雨水貯留浸透施設に導入されることによって該雨水が該雨水貯留浸透施設に一時貯留されると共に地中へ浸透する雨水貯留浸透システムであって、
前記雨水貯留浸透施設は、
前記雨水が導入される内部空間が形成され、該内部空間の雨水を地中へ排出するための透水部が周壁に設けられている雨水貯留浸透体を複数有し、
該複数の雨水貯留浸透体は、前記建物の基礎の外縁に沿って並置されている
ことを特徴とする雨水貯留浸透システム。
【請求項２】
前記雨樋と前記雨水貯留浸透施設とを繋ぐ雨水経路には、
該雨樋から流出する雨水が流入する流入口と、
該流入口から流入した雨水が該雨水貯留浸透施設へ向けて流出する流出口と、
地上空間に臨む上端開口と、を備えた雨水ますが配設され、該雨水ますと前記複数の雨水貯留浸透体とが、前記建物の基礎の外縁に沿って並置されている
請求項１に記載の雨水貯留浸透システム。
【請求項３】
前記雨水ますには、前記雨水経路の外へ雨水を排出する排出口が設けられており、
該雨水ます内における該排出口の下端は該雨水ます内における前記流出口の下端よりも低い位置に配置され、かつ該排出口には、該排出口を介して排出される雨水の単位時間当たりの流量を調整する流量調整手段が配設されている
請求項２に記載の雨水貯留浸透システム。
【請求項４】
前記雨水ますには、前記雨水経路の外へ雨水を排出する排出口が設けられており、
該雨水ます内における該排出口の下端は該雨水ます内における前記流出口の下端よりも高い位置に配置され、かつ該排出口には該雨水流路外からの雨水の流入を防止する逆流防止手段が配設されている
請求項２に記載の雨水貯留浸透システム。
【請求項５】
前記雨水貯留浸透施設には、前記雨水貯留浸透体内に連通する点検口が設けられている
請求項１乃至請求項４のいずれか１項に記載の雨水貯留浸透システム。
【発明の詳細な説明】
【技術分野】
【０００１】
本発明は、雨水を一時的に貯留し、地中に浸透させる雨水貯留浸透システムに関し、特に狭小地に設置することに適した雨水貯留浸透システムに関する。
【背景技術】
【０００２】
従来から、雨水を一時的に貯留し、貯留した雨水を地中に緩やかに浸透させて排水する雨水用の貯留浸透施設が提案されている。該貯留浸透施設は、例えば特許文献１に開示されているように、掘削して形成された地盤タンク部内に透水性補強シートを敷設し、その上に複数の貯留構造体が縦横及び上下方向に積み重ねられて貯留槽が形成されている。
【０００３】
一方、例えば特許文献２に開示されているような、雨水枡と雨水枡を排水管で接続した雨水排水配管構造において、配管内に流入した雨水を一時貯溜するための堰を設け、その堰に一時貯留した雨水を徐々に排出するための孔を穿孔したものも提案されている。
【０００４】
また、例えば特許文献３、特許文献４に開示されているような、雨水浸透機能を有したますも提案されている。
【先行技術文献】
【特許文献】
【０００５】
【特許文献１】特開２０１３−４４２１２号公報
【特許文献２】特開２０１０−１２７０２０号公報
【特許文献３】特開２０００−２８２５５４号公報
【特許文献４】特開２０１１−７４５６３号公報
【発明の概要】
【発明が解決しようとする課題】
【０００６】
しかしながら、上記特許文献１に開示されているような、従来の貯留浸透施設においては、前記貯留構造体を縦横及び上下方向に積み重ねて貯留槽が形成されているために建物の周囲に縦横十分な広さのスペースを必要としていた。
【０００７】
また上記特許文献２に開示された雨水排水配管構造においては、雨水を一時的に配管内に貯溜することはできても地面に浸透させる機能は有しておらず、さらに貯溜できる雨水の量は堰より低位の雨水枡と排水管との体積分しかないために、設置場所によっては十分な貯溜機能を発揮できない場合があった。また、建物周囲のスペースを十分に有効活用仕切れていない、という問題があった。
【０００８】
上記特許文献３、特許文献４に開示された雨水浸透機能を有したますにおいても、貯留できる雨水の量は上記のような貯留浸透施設等より劣るものであった。
【０００９】
そこで本発明は、十分に一時貯留でき、隣接している建物間や建物と土地境との間等の狭小地に適切に設置することができる雨水貯留浸透システムを提供することを目的とする。
【課題を解決するための手段】
【００１０】
本発明は、地中に埋設された雨水貯留浸透施設を備え、建物に配設された雨樋から流出する雨水が該雨水貯留浸透施設に導入されることによって該雨水が該雨水貯留浸透施設に一時貯留されると共に地中へ浸透する雨水貯留浸透システムであって、前記雨水貯留浸透施設は、前記雨水が導入される内部空間が形成され、該内部空間の雨水を地中へ排出するための透水部が周壁に設けられている雨水貯留浸透体を複数有し、該複数の雨水貯留浸透体は、前記建物の基礎の外縁に沿って並置されていることを特徴とする雨水貯留浸透システムである。
【００１１】
かかる構成にあっては、前記雨水貯留浸透体が建物の基礎に沿って配置されているため、隣接している建物間や建物と土地境との間等の狭小地に雨水貯留浸透施設を配置して埋設することが可能となる。このため、上記構成とすることにより、比較的コンパクトな敷地を有効に利用して雨樋からの雨水を地中に浸透させることが可能となる。なお、雨水貯留浸透体の並び方向は、基礎の外縁に対して厳密に平行である必要はなく、基礎の立上り部に沿って複数の雨水貯留浸透体が並べられて配されていれば本発明に含まれる。
【００１２】
また、前記雨樋と前記雨水貯留浸透施設とを繋ぐ雨水経路には、該雨樋から流出する雨水が流入する流入口と、該流入口から流入した雨水が該雨水貯留浸透施設へ向けて流出する流出口と、地上空間に臨む上端開口と、を備えた雨水ますが配設され、該雨水ますと前記複数の雨水貯留浸透体とが、前記建物の基礎の外縁に沿って並置されている構成としてもよい。
【００１３】
かかる構成にあっては、例えば狭小地に雨水ますと雨水貯留浸透施設とをコンパクトに配置できると共に、前記雨水ますを介して前記雨水経路の維持管理や清掃作業が容易に行うことができる。また、雨樋を流れる雨水に含まれる夾雑物を該雨水ますを利用して捕捉及び回収することができるため、雨水貯留浸透体における透水部の目詰りを抑制することができ、雨水貯留浸透施設の維持管理の負担を大幅に軽減することが可能となる。
【００１４】
また、前記雨水ますには、前記雨水経路の外へ雨水を排出する排出口が設けられており、該雨水ます内における該排出口の下端は該雨水ます内における前記流出口の下端よりも低い位置に配置され、かつ該排出口には、該排出口を介して排出される雨水の単位時間当たりの流量を調整する流量調整手段が配設されている構成としてもよい。
【００１５】
かかる構成にあっては、雨水ます内における排出口、及び流出口の各下端の高低が上記のように設定されているため、該雨水ますに流入した雨水は、通常の場合はまず前記排出口から排出される。一方、次第に雨水ますに流入する雨水が増加し、前記排出口から排出される単位時間当たりの流量を超えた量の雨水が流入した場合、該雨水ます内の水位が上昇し、次いで該雨水は流出口を介して前記雨水貯留浸透施設に導入され始める。したがって、通常時において、夾雑物を多く含む初期雨水は前記雨水経路外へ排出され、一方、比較的時間が経った後の夾雑物の少ない雨水は、該雨水貯留浸透施設に導入されることとなる。このため、雨水貯留浸透体における透水部の目詰りを好適に抑制することができ、雨水貯留浸透施設の維持管理の負担を大幅に軽減することが可能となる。また、雨水貯留浸透施設の貯留容量が比較的小さい構造で施工された場合にも、上記構成とすることにより大量の雨水が該雨水貯留浸透施設に過剰に導入されることがなくなり、適切に雨水を側溝や河川等の下流へ排出することが可能となる。
【００１６】
また、前記雨水ますには、前記雨水経路の外へ雨水を排出する排出口が設けられており、該雨水ます内における該排出口の下端は該雨水ます内における前記流出口の下端よりも高い位置に配置され、かつ該排出口には該雨水流路外からの雨水の流入を防止する逆流防止手段が配設されている構成としてもよい。
【００１７】
かかる構成にあっては、前記雨水ますに流入した雨水は、通常の場合には前記流出口から前記雨水貯留浸透施設へ流出し、該雨水貯留浸透施設の貯留限界を超えた等の場合には前記排出口からも前記雨水経路外へ排出される。したがって、例えば雨水ますの設置場所が制限されて該雨水経路外からの雨水の逆流のおそれがある場所においては、雨水の逆流を防止しつつ好適に雨水を雨水貯留浸透施設へ導入することができる。
【００１８】
また、前記雨水貯留浸透施設には、前記雨水貯留浸透体内に連通する点検口が設けられている構成としてもよい。
【００１９】
かかる構成にあっては、前記点検口を介して雨水貯留浸透施設内の維持管理、あるいは清掃作業が可能となるため、雨水貯留浸透システムを長期にわたってその機能を減衰させることなく有効利用することができる。
【発明の効果】
【００２０】
本発明の雨水貯留浸透システムは、雨水貯留浸透施設を構成する雨水貯留浸透体が建物の基礎に沿って複数連設されているので、隣接している建物間や建物と土地境との間等の狭小地に好適に設置することができる。
【図面の簡単な説明】
【００２１】
【図１】実施例１にかかる雨水貯留浸透システムの概要平面図。
【図２】図１に示す雨水貯留浸透システムの縦断面図。
【図３】変形例にかかる雨水貯留浸透システムの概要図。
【図４】変形例にかかる雨水貯留浸透施設の概要図。
【図５】実施例２にかかる雨水貯留浸透システムの概要平面図。
【図６】図４に示す雨水貯留浸透システムの概要縦断面図。
【図７】実施例３にかかる雨水貯留浸透システムの概要縦断面図。
【図８】実施例４にかかる雨水貯留浸透システムの概要縦断面図。
【図９】（ａ）は、変形例にかかる雨水貯留浸透システムの概要平面図を示し、（ｂ）は、概要縦断面図を示す。
【発明を実施するための形態】
【００２２】
以下、本発明の雨水貯留浸透システムを具体化した実施例を詳細に説明する。なお本発明は、下記に示す実施例に限定されることはなく、適宜設計変更が可能である。
【００２３】
〔実施例１〕
図１，図２に示すように、雨水貯留浸透システム１Ａは、建物２の周囲の地中に埋設された雨水貯留浸透施設４を備え、該建物２の雨樋２ａから流出する雨水が該雨水貯留浸透施設４に導入される雨水経路Ｘが構築されている。そして、該雨水貯留浸透施設４は、導入された雨水を一時貯留すると共に地中に向けて徐々に浸透させる機能を備えている。
【００２４】
前記雨水貯留浸透施設４は、上下左右にそれぞれ周壁が形成されることで雨水を一時貯留できる内部空間Ｙが形成された、十分な耐圧性を備えるほぼ箱型の雨水貯留浸透体８を複数有している。該雨水貯留浸透体８の周壁には、前記内部空間Ｙに導入された雨水を外部へ排出するための透水部（透水孔）８ａが貫通状に多数設けられており、該雨水貯留浸透体８上に天板（図示省略）が載置された上で透水シート（図示省略）によって被覆され、建物２に近接する位置に埋設されている。例えば、該雨水貯留浸透体８の寸法は、長さ５０ｃｍ、幅５０ｃｍ、高さ１００ｃｍ程度のものが好適に採用される。また、いずれかの雨水貯留浸透体８の上壁には、上端が地表面に露出する点検用立管１０が接続され、これにより地上空間と雨水貯留浸透体８内とを連通する点検口１０ａが形成されている。なお、通常時は、該点検口１０ａには遮蔽用の蓋が取り付けられていることが望ましい。
【００２５】
また、前記建物２における雨樋２ａと、前記雨水貯留浸透施設４とを繋ぐ雨水経路Ｘには、雨水ます６が配設されている。該雨水ます６の周壁には、雨樋２ａからの雨水が流入する流入口３と、該流入口３から流入した雨水が前記点検用立管１０を介して雨水貯留浸透体８へ流出する流出口５と、地上に臨むメンテナンス用の上端開口９とが設けられている。さらに、該雨水ます６内において、前記流出口５には、フィルター７が着脱可能に取り付けられている。また、前記上端開口９には、遮蔽用の蓋が取り付けられている。
【００２６】
かかる構成にあって、前記雨樋２ａを流下する雨水は、雨水ます６内に導入された後、雨水貯留浸透施設４の雨水貯留浸透体８内へ導入され、その内部空間Ｙで一時貯留されると共に徐々に地中へ浸透する。前記雨水ます６の流出口５にはフィルター７が取り付けられているため、雨水に混入する夾雑物は該フィルター７を通過できず、該雨水ます６内に滞留する。このため、雨水貯留浸透体８における透水部８ａの目詰りを抑制することができ、雨水貯留浸透施設４の維持管理の負担を大幅に軽減することが可能となる。また、前記雨水ます６内に滞留した夾雑物は、該雨水ます６の上端開口９を介して取り除くことが可能であり、また該フィルター７は着脱可能とされているため該フィルター７を掃除したり交換したりすることも容易に行うことができる。
【００２７】
さらに、前記雨水貯留浸透施設４における前記複数の雨水貯留浸透体８は、前記雨水ます６と共に、前記建物２の基礎２０の外縁に沿って並置されている。なお、建物２の基礎２０は、一般的に建物２の外形に沿って設けられており、換言すれば、前記複数の雨水貯留浸透体８、並びに、複数の雨水貯留浸透体８及び前記雨水ます６が、建物２の外形に沿って並べて設けられていることになる。
【００２８】
上記構成にあっては、前記複数の雨水貯留浸透体８が、建物２の基礎２０に沿って全体として平面視細長形状となるように並べられて配置されているため、例えば、隣接している建物との間や建物２と土地境との間等の狭小地であっても十分に雨水貯留浸透施設４として施工することが可能となる。このため、従来使い道のなかった建物２周囲のスペースに、雨水貯留浸透システム１Ａを適用することが可能となる。また、雨水貯留浸透施設４が建物２に近接して配置されるため、該建物２の壁面に沿って取り付けられている雨樋２ａからの雨水を、無駄なく該雨水貯留浸透施設４に導入することが可能となり、雨水経路Ｘが過剰に長くなってしまうことがなくなり、簡素かつ低コストで雨水貯留浸透システム１Ａを施工することが可能となる。
【００２９】
したがって、例えば図３に示すように、建物２の周囲の狭小スペースにそれぞれ雨水貯留浸透施設４，４，４，４が建物２の基礎２０に沿って配置されている構成としてもよい。また、雨樋２ａに接続された単一の雨水ます６に対して、複数の雨水貯留浸透施設４，４が接続されていてもよい。また、本発明にあっては、少なくとも複数の雨水貯留浸透体８が建物２の基礎２０に沿って並置されていればよいため、雨水経路Ｘに配置された雨水ます６が雨水貯留浸透体８と共に基礎２０に沿っていない構成であってもよい。また、図３に示す構成は、雨水貯留浸透施設４における端部の雨水貯留浸透体８から雨水を導入する構成であるが、いずれの箇所から雨水を導入してもよく、例えば雨水貯留浸透施設４の中央に位置する雨水貯留浸透体８に雨水ます６が接続されていても構わない。また、複数の雨水貯留浸透体８は、一列状に並べられて基礎２０に沿って配置されていてもよいし、二列以上に並べられて基礎２０に沿って並置されていてもよい。また、雨水貯留浸透施設４における各雨水貯留浸透体８同士は、所定の連結手段を介して互いに連結していてもよいし、所定の隙間をおいて個別に配置されていてもよい。
【００３０】
なお、前記雨水貯留浸透施設４における各雨水貯留浸透体８同士が相互連結されず、個別に配置される構成の場合であって、図４に示すように各雨水貯留浸透体８を設置するための設置面が均一な水平面でなく不陸となった場合、あえて不陸のまま雨水貯留浸透体８を設置し、最も低位となる雨水貯留浸透体８上に載置される天板を、穴開き天板に差し替えてこれに点検口用立管５０を接続するようにしてもよい。かかる構成とすることにより、設置面を水平面とするための労力が軽減される。また、最も低位となる雨水貯留浸透体８内には砂泥等が集まりやすく、この砂泥等の清掃作業が必要となるところ、前記点検口用立管５０を介して好適に雨水貯留浸透体８内の点検や清掃作業を行うことができる。
【００３１】
〔実施例２〕
実施例２にかかる雨水貯留浸透システム１Ｂを、図５、図６に従って説明する。なお、実施例１と共通する部分については、説明を簡略又は省略することとする。
【００３２】
図５，６に示すように、雨水貯留浸透システム１Ｂにおける雨水ます６には、雨水経路Ｘの外に設けられている側溝Ｕへ雨水を排出する排出口３８が設けられている。さらに図６に示すように、該雨水ます６内において、該排出口３８の下端は、該雨水ます６内における流出口５の下端よりも低い位置に配置され、かつ該排出口３８には、流量調整手段としてのオリフィス２９が配設されている。
【００３３】
かかる構成にあって、前記雨水ます６に流入した雨水は、まず先に前記オリフィス２９を介して前記排出口３８から前記側溝Ｕへ排出される。一方、該オリフィス２９の流量限界を超えた雨水が該雨水ます６に流入した場合には、該雨水ます６内の水位が上昇し、その水面が前記流出口５に到達したところで該雨水が前記雨水貯留浸透施設４に導入され始める。
【００３４】
かかる構成とすることにより、通常時において、夾雑物を多く含む初期雨水は前記雨水経路Ｘ外へ排出され、一方、比較的時間が経った後の雨水は、該雨水貯留浸透施設４に導入されることとなる。このため、雨水貯留浸透体８における透水部８ａの目詰りを好適に抑制することができ、雨水貯留浸透施設４の維持管理の負担を大幅に軽減することが可能となる。また、雨水貯留浸透施設４の貯留容量が比較的小さい構造で施工された場合にも、大量の雨水が該雨水貯留浸透施設４に過剰に導入されることがなくなり、適切に雨水を雨水経路Ｘ外へ排出することができる。
【００３５】
なお、前記オリフィス２９に形成されている開口２９ａの面積を適宜変更することで、該オリフィス２９を通過する雨水の許容放流量を前記雨水貯留浸透施設４の水頭高さに対応させて調整することが可能である。また、排出口３８の下流に位置する排出先としては、側溝Ｕである必要はなく、水路や河川等であってもよい。
【００３６】
〔実施例３〕
実施例３にかかる雨水貯留浸透システム１Ｃを、図７に従って説明する。なお、実施例１，２と共通する部分については、説明を簡略又は省略することとする。
【００３７】
雨水貯留浸透システム１Ｃにおける雨水ます６に設けられている排出口３８は、該雨水ます６内において、該排出口３８の下端が該雨水ます６内における流出口５の下端よりも高い位置となるように配置されている。そして、該排出口３８には、該側溝Ｕからの雨水の逆流を防止する逆流防止手段としての逆流防止弁４０が取り付けられている。
【００３８】
本実施例においては、通常時は、前記雨水ます６に流入した雨水が前記流出口５から前記雨水貯留浸透施設４へ流出する。一方、該雨水貯留浸透施設４の貯留限界を超えた等の場合には、逆流が防止されつつ前記排出口３８から側溝Ｕへ向けて雨水が流出し、前記雨水経路Ｘ外へ排出され始める。したがって、例えば雨水ます６の設置場所が制限されて該雨水経路Ｘ外からの雨水の逆流のおそれがある場所においては、雨水の逆流を防ぎつつ好適に雨水を雨水貯留浸透施設４へ導入することができる。
【００３９】
なお、上記した実施例１〜３における雨水ます６は、泥溜め部を備えた構成であってもよいし、浸透機能を備えた構成であってもよく、公知の構成が好適に採用される。
【００４０】
また、実施例１〜３の構成は、前記雨水経路Ｘに雨水ます６を配設した構成であるが、これに代えて、図８に示すような、雨樋２ａから流出した雨水が雨水貯留浸透施設４の雨水貯留浸透体８内に直接導入される雨水貯留浸透システム１Ｄとしても構わない。
【００４１】
また、図９（ａ）に示すように、雨樋２ａが接続された雨水ます６に貯留槽１８も接続されている雨水貯留浸透システム１Ｅが提案される。さらに詳述すると、前記雨水ます６の周壁には、流出口５に加えて、流入口３から流入した雨水が貯留槽１８へ流出する貯留槽用流出口１５が設けられており、該雨水ます６の一方の流出口に浸透機能を備えた施設が接続され、他方の流出口に貯蓄機能を備えた施設が接続された構成となっている。さらに、該貯留槽１８は、雨水ます６及び該雨水貯留浸透施設４における複数の雨水貯留浸透体８と共に、基礎２０の外縁に沿って並置されていることが望ましい。なお、前記貯留槽１８は、例えば、雨水タンク等で構成される。
【００４２】
さらに、図９（ｂ）に示すように、雨水貯留浸透システム１Ｅにおける該雨水ます６内における貯留槽用流出口１５の下端は、雨水貯留浸透施設４用の流出口５の下端よりも高い位置に配置されている。また、該雨水ます６内において、該貯留槽用流出口１５には、貯留槽用フィルター１７が取り付けられており、該貯留槽用フィルター１７の目開きは、前記流出口５に取り付けられた雨水貯留浸透施設用のフィルター７の目開きよりも小さくなるように設定されている。
【００４３】
かかる構成とすることにより、機能の異なる施設を備えたシステムを建物２周囲の狭小地にコンパクトに施工することが可能となる。また、流出口５，１５の下端の高さを前記のように設定することにより、雨水貯留浸透施設４に初期雨水を導入し、次いで夾雑物の少ない雨水を貯留槽１８に導入することができる。また、該貯留槽用フィルター１７の目開きが、フィルター７の目開きよりも小さくなるように設定したことで、より確実に貯留槽１８内の雨水に含まれる夾雑物を除去することができる。
【００４４】
また、実施例１〜３の構成は、点検口１０ａを介して雨水貯留浸透体８内に雨水が導入される構成であるが、これに代えて、雨水ます６あるいは雨樋２ａに接続された配管が雨水貯留浸透体８の周壁に直接接続された構成であっても構わない。
【００４５】
これまでに述べた雨水貯留浸透体８、又は雨水ます６等の各部材の材料や寸法形状は特に限定されないが、製造又は加工の容易さや、運搬、施工作業の容易さを考慮して、樹脂製のものが好ましい。また、再生ＰＰや再生ＰＥＴなどを使用することで、環境への配慮を図ることもできる。また、軽量な部材を積極的に用いることで、重機の使用が困難な狭小地においても、人力で本発明にかかる雨水貯留浸透システム１Ａ〜１Ｅを構築することが可能である。
【符号の説明】
【００４６】
１Ａ〜１Ｅ      雨水貯留浸透システム
２              建物
２ａ            雨樋
３              流入口
４              雨水貯留浸透施設
５              流出口
６              雨水ます
８              雨水貯留浸透体
１０ａ          点検口
３８            排出口
２９            オリフィス（流量調整手段）
４０            逆流防止弁（逆流防止手段）
Ｘ              雨水経路
【図１】
2014214519.tif 000003
【図２】
2014214519.tif 000004
【図３】
2014214519.tif 000005
【図４】
2014214519.tif 000006
【図５】
2014214519.tif 000007
【図６】
2014214519.tif 000008
【図７】
2014214519.tif 000009
【図８】
2014214519.tif 000010
【図９】
2014214519.tif 000011